(57)【要約】【課題】小型化と薄型化を達成しつつ強度性を持ってＹシャツの胸ポケットやＧパンの臀部ポケットなどに円滑に収容且つ取出のできる電子カメラの提供。【解決手段】  前記撮像部と操作部間の分割線を、筐体長辺と平行な回転軸線に沿って回転可能な延在線で形成してなる電子カメラであって、撮像部側の回転軸線とレンズ窓間の前記筐体広域面上に回転軸線と平行にリブ状突起を延在させるとともに、該操作部側の表示面が位置する広域面に設けた操作釦高さを前記表示面形成面以上であってリブ状突起高さ以下に設定し、前記分割線を前記リブ状突起より下方を筐体短辺と平行に延在し、前記リブ状突起上方のレンズ窓側を操作部側に延在させた膨出部を具え、更に前記膨出部側に位置する撮像部側頂壁にレンズ窓部とともに発光窓部を配設し、一方前記リブ状突起下方の操作部側に前記膨出部の分割線を越えて矩形状の画像表示面が延在して位置している。【選択図】      図１
2005079729.tif 000002
【特許請求の範囲】
【請求項１】
表示装置を収納すると共に撮影釦を配設する操作部筐体と、撮影用レンズ機構を収納すると共にレンズ窓部とリブを配設する撮像部筐体と、前記操作部筐体と前記撮像部筐体とを回動自在に連結するヒンジ機構と、を備え、
前記ヒンジ機構による回動位置が所定位置の際に、前記操作部筐体と前記撮像部筐体が組み合わさった状態にて薄型且つ略四角形状のカメラ筐体を構成すると共に、前記薄型且つ略四角形状のカメラ筐体の一長辺側頂壁の前記操作部筐体側に前記撮像釦と、該一長辺側頂壁の前記撮像部筐体側に前記レンズ窓部とを配し、前記薄型且つ略四角形状のカメラ筐体の広域面の前記操作部筐体側に前記表示装置と、該広域面の前記撮像部筐体側に前記リブを前記一長辺と平行に延在突設したことを特徴とする電子カメラ。
【請求項２】
前記操作部筐体において、撮影時に使用する操作釦を前記表示装置の前記リブと平行な一辺に近接配置すると共に、該操作釦の高さを前記操作部筐体の前記広域面に対する前記表示部の高さ以上であって、前記広域面に対する前記リブの高さ以下にしたことを特徴とする請求項１に記載の電子カメラ。
【請求項３】
前記操作部筐体において、前記電子カメラの各種モードを選択するモードセレクト釦を前記表示装置の前記リブと平行な一辺に近接配置すると共に、電子カメラのズームを操作するズーム釦を前記広域面であって前記撮影釦に近接配置したことを特徴とする請求項１に記載の電子カメラ。
【請求項４】
前記操作部筐体において、前記各種モードを選択決定する十宇キーを前記広域面であって前記表示装置と近接し且つ前記撮影釦とは離間して配置することにより、操作者の人差指にて前記撮影釦を操作し、親指にて前記ズームキー、モードセレクト釦及び十宇キーを操作可能にしたことを特徴とする請求項３に記載の電子カメラ。
【請求項５】
前記撮像部筐体において、前記一長辺側頂壁側に前記操作部側筐体方向に筐体が膨出する膨出部を設け、該膨出部にストロボ発光窓部を配設することにより、前記一長辺側頂壁に前記ストロボ発光窓部と前記撮影窓部とを隣接配置したことを特徴とする請求項１乃至４の何れかに記載の電子カメラ。
【請求項６】
前記撮像部筐体の前記膨出部と非膨出部との略境界に前記リブを配設したことを特徴とする請求項５に記載の電子カメラ。
【請求項７】
前記膨出部により前記薄型且つ略四角形状のカメラ筐体の前記広域面における前記操作部筐体と前記撮像部筐体の分割線が円弧と直線の組合せとなることを特徴とする請求項５又は６に記載の電子カメラ。
【請求項８】
前記操作部筐体において、前記膨出部に対応した凹部を前記一長辺側頂壁側に設け、前記広域面側の前記一長辺側と対向する他の長辺側に隣接して前記表示装置を配設したことを特徴とする請求項５乃至７の何れかに記載の電子カメラ。
【発明の詳細な説明】
【技術分野】
【０００１】
本発明は、電子カメラに関し、特に薄型、軽量に構成した電子カメラに関する。
【背景技術】
【０００２】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感を感じさせない軽さで、しかも高倍率のズーム機構を備えた電子カメラの出現が望まれている。
【０００４】
しかしながらズームレンズは、通常複数のレンズ群で構成され、しかも、そのうちのいくつかのレンズ群を進退させることで所望の焦点距離を得るようにしている。そのため、旧来のフィルムを使用したカメラのようにカメラ本体から撮影レンズを突出させるようにした方式では、撮影時以外はレンズを本体内に収納する沈胴式にしたとしても、レンズ枚数の多さとレンズ群を前後させる機構の存在で、カメラ本体を一定以下の厚さにするのは困難である。
【０００５】
そのため、突出したレンズを電源オフ時にカメラ本体に収納する際、中間群のレンズを光軸外に移動させ、それによって薄型化を達成するようにしたカメラも出現しているが、このように中間レンズ群を移動させる方式は光学系の精度が悪化し、また中間レンズ群やレンズ鏡筒を電源オフによってカメラ本体に沈める方式そのものが、電源をオンしたときに撮影ができるようになるまで一定の時間を必要とするから、起動するまでの時間が長くなってシャッターチャンスを逃すという欠点がある。
【０００６】
そのため特許文献１に示されているように、画像表示面を有した操作部にヒンジ機構などの回転機構で回転可能に接続した撮像部に、撮影レンズと発光装置などを配して撮影レンズを被写体方向に向けられるようにし、しかも、画像表示面は撮影者の方に向けるようにしたカメラが提案されている。このように電子カメラを構成すると、例えば撮影者（自分）を撮影したいという場合や、地面近傍の被写体を撮影する場合でも、撮像部を被写体に向けながら画像表示面を常時確認することが可能となる。
【特許文献１】特許２９３１９０７号公報
【発明の開示】
【発明が解決しようとする課題】
【０００７】
しかしながら、前記従来技術においては、画像表示面を大きくするために、操作部をカメラ筐体の全体構成として大きくするとともに、操作部の前面側に撮像部収納凹部を設け、該凹部内に回動自在に撮像部が収納可能に構成しているために、小型化は達成されるが、カメラ筐体全体が厚肉化してＹシャツの胸ポケットやＧパンの臀部ポケットなどに収容できる薄さにはならない。
又、このため撮影用レンズ機構を有した撮像部と、画像表示面とともに撮像及び画像表示用各種操作釦が配設された操作部が組み合わさった状態で、前記電子カメラ筐体を薄型略長方形状に形成し、該カメラ筐体の長辺側頂壁の操作部側に撮像釦を、又撮像部側にレンズ窓部をそれぞれ配設してなる電子カメラにおいて、
前記撮像部と操作部間の分割線を、筐体長辺と直交する短辺に平行に分割した電子カメラも存在する。
【０００８】
しかしながらこのように構成すると、撮像部と操作部で短辺方向に２分割する構成を取るために、操作部側の画像表示面が小さくなりやすい。
又このような構成で薄型化すると強度的に大きく低下するのみならず、画像表示面側に位置する操作部が広域面上に操作釦が突出してＹシャツの胸ポケットやＧパンの臀部ポケットなどに収容する際にこれらの操作釦が引っかかりとなり、円滑に出し入れできない。
従って、本発明はかかる従来技術の問題に鑑み、小型化と薄型化を達成しつつ強度性を持ってＹシャツの胸ポケットやＧパンの臀部ポケットなどに円滑に収容且つ取出のできる電子カメラの提供を目的とする。
又本発明の他の目的は撮像部の回動操作が容易であってシャッタチャンスを逃さない電子カメラの提供を目的とする。
本発明の目的は、操作部側の画像表示面が小さくなることなく容易に小型化を達成しうる電子カメラの提供を目的とする。
本発明の他の目的はＧパンの臀部ポケットなどに収納した状態であっても取出時に容易に位置関係が判読でき、シャッタチャンスを逃さない電子カメラの提供を目的とする。
【課題を解決するための手段】
【０００９】
そこで、本発明はかかる課題を解決するために、表示装置を収納すると共に撮影釦を配設する操作部筐体と、撮影用レンズ機構を収納すると共にレンズ窓部とリブを配設する撮像部筐体と、前記操作部筐体と前記撮像部筐体とを回動自在に連結するヒンジ機構と、を備え、
前記ヒンジ機構による回動位置が所定位置の際に、前記操作部筐体と前記撮像部筐体が組み合わさった状態にて薄型且つ略四角形状のカメラ筐体を構成すると共に、前記薄型且つ略四角形状のカメラ筐体の一長辺側頂壁の前記操作部筐体側に前記撮像釦と、該一長辺側頂壁の前記撮像部筐体側に前記レンズ窓部とを配し、前記薄型且つ略四角形状のカメラ筐体の広域面の前記操作部筐体側に前記表示装置と、該広域面の前記撮像部筐体側に前記リブを前記一長辺と平行に延在突設したことを特徴とする。
又、前記操作部筐体において、撮影時に使用する操作釦を前記表示装置の前記リブと平行な一辺に近接配置すると共に、該操作釦の高さを前記操作部筐体の前記広域面に対する前記表示部の高さ以上であって、前記広域面に対する前記リブの高さ以下にすることが好適である。
【００１０】
さらに又、前記操作部筐体において、前記電子カメラの各種モードを選択するモードセレクト釦を前記表示装置の前記リブと平行な一辺に近接配置すると共に、電子カメラのズームを操作するズーム釦を前記広域面であって前記撮影釦に近接配置したことを特徴とし、このとき、前記操作部筐体において、前記各種モードを選択決定する十宇キーを前記広域面であって前記表示装置と近接し且つ前記撮影釦とは離間して配置することにより、操作者の人差指にて前記撮影釦を操作し、親指にて前記ズームキー、モードセレクト釦及び十宇キーを操作可能にすることが好適である。
【００１１】
又、前記撮像部筐体において、前記一長辺側頂壁側に前記操作部側筐体方向に筐体が膨出する膨出部を設け、該膨出部にストロボ発光窓部を配設することにより、前記一長辺側頂壁に前記ストロボ発光窓部と前記撮影窓部とを隣接配置すると良く、このとき、前記撮像部筐体の前記膨出部と非膨出部との略境界に前記リブを配設することが好ましい。
さらに、前記膨出部により前記薄型且つ略四角形状のカメラ筐体の前記広域面における前記操作部筐体と前記撮像部筐体の分割線が円弧と直線の組合せとなることを特徴とする。
さらに又、前記操作部筐体において、前記膨出部に対応した凹部を前記一長辺側頂壁側に設け、前記広域面側の前記一長辺側と対向する他の長辺側に隣接して前記表示装置を配設することが好ましい。
【発明の効果】
【００１２】
かかる発明によれば、ポケット等の境域な空間に収納する場合であっても、容易かつ円滑に出し入れでき、また電子カメラの取り出しの際に手でリブを触認することにより目で確認する前にカメラの前後左右の位置が簡単に確認でき、速やかな撮像動作に移ることができるとともに、リブの存在により操作部側の液晶表示面を保護することができる。
【発明を実施するための最良の形態】
【００１３】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１４】
図１は本発明になる電子カメラの一実施形態の全体図、図２は本発明になる電子カメラのレンズを被写体方向に向けた撮影状態を示した図、図３は本発明になる電子カメラのレンズをカメラ操作者（自分）方向に向けた撮影状態を示した図、図４は本発明になる電子カメラのレンズを被写体方向に向けて撮影するときのカメラのホールド状態を示した図である。
【００１５】
本発明になる電子カメラ１００は、撮影用レンズ機構を内蔵した撮像部１０１と、画像表示面１０５とともに撮像及び画像表示用各種操作釦１０６〜１１３が配設された操作部１０２が組み合わさった状態で、前記電子カメラ筐体を薄型略長方形状に形成し、該カメラ筐体の長辺側頂壁の操作部側に撮像釦１０６を、又撮像部側にレンズ窓部１０３をそれぞれ配設している。
又前記撮像部１０１と操作部１０２間の分割線を、カメラの筐体長辺と平行な回転軸線１５０に沿って回転可能に形成するとともに、撮像部側の回転軸線１５０とレンズ窓１０３間の前記筐体広域面上に回転軸線と平行にリブ状突起１５１を延在させるとともに、該操作部側１０２の表示面１０５が位置する広域面に設けた操作釦１０８、１０９、１１０、１１２、１１３のそれぞれの高さを前記表示面１０５形成面以上であってリブ状突起１５１高さ以下に設定する。
【００１６】
又前記モードセレクト釦１１３は表示装置の矩形状の画像表示面の上辺に近接させて該辺とほぼ平行に延在して長方形状にして配設し、該モードセレクト釦高さ１１３ｈを前記表示面形成面高さ１０５ｈ以上であってリブ状突起高さ１５１ｈ以下に設定してある。
そして前記分割線１５６を前記リブ状突起１５１より下方を筐体短辺と平行に延在し、前記リブ状突起１５１上方のレンズ窓１０３側を操作部１０２側に延在させた膨出部１５３を具え、更に前記膨出部１５３側に位置する撮像部１０１側頂壁にレンズ窓部１０３とともにストロボ発光窓部１０４を配設し、一方前記リブ状突起１５１下方の操作部１０２側に前記膨出部１５３の分割線を越えて矩形状の画像表示面１０５が延在して位置している。このようにすることで、操作部１０２における画像表示面１０５の右側に操作釦類を配置するためのスペースを作ることができ、小型でありながら、操作性の良い電子カメラを構成することができる。
【００１７】
すなわち、撮像部１０１における撮影レンズ窓１０３側を操作部１０２側に膨出させて発光窓部１０４を配する長さに設定するとともに、撮像部１０１の撮影レンズ窓１０３側の端から発光窓部１０４の窓側の端までの膨出部１５３長さを、例えば左手人差し指の先端から第２関節近辺までの長さとし、かつその膨出部１５３部位の厚さを、略人差し指の厚さとして且つその分割線にＲを付けて撮像部と操作部が筐体短辺と平行に回動可能に構成してある。
この場合に撮像部１０１側において、１０３は撮影レンズ窓、１０４はストロボなどの発光窓部（発光装置）、１０５は液晶などを用いた画像表示面、１０６は撮像釦、１０７は電源釦、１０８は十字キーと決定キーで構成され、画像表示面１０５に表示された機能や項目を選択するための選択決定キー、１０９は光学系ズーミングを指示するズームキー、１１０はカメラモードメニューのオン、オフを切り替えるメニュー釦、１１１は画像表示面１０５の表示内容と照明のオン、オフを切り替えるディスプレイ釦、１１２は画像表示面１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００１８】
本発明になる電子カメラ１００は、図１乃至３に示したように、操作部１０２側に画像表示面１０５と一般的な撮影用操作釦類１０６乃至１１３を配し、この操作部１０２にヒンジ機構４０５で回転可能に接続された撮像部１０１の一端側には、撮影レンズ窓１０３、その操作部１０２側に発光窓部１０４を配してある。そしてこの撮像部１０１の内部には、撮影レンズ窓１０３の背後に撮影用ズームレンズが、そしてその隣に、ズームレンズを構成するレンズ群を進退させるためのカム機構が配され、これらズームレンズとカム機構の奥側、すなわち撮影レンズ窓１０３と逆側に発光装置用コンデンサなどの電装部品が配されている（いずれも不図示）。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、撮像釦１０６はカメラ１００を右手で保持したときに人差し指で操作可能とし、ズーム操作釦１０９、選択決定キー１０８、メニュー釦１１０、モードセレクト釦１１３などは、同じく右手でカメラ１００を保持したとき、親指の届く範囲に配置して操作性を高めてある。
【００１９】
そして本発明になる電子カメラ１００は、画像表示面１０５を常時視認できるよう撮影者の方に向けたまま、図２に示したように撮像部１０１を被写体の方に向けたり、図３に示したように逆に回転させて撮影レンズ窓１０３がカメラ操作者（自分）の方を向くようにし、自分撮りもできるようになっている。また本発明になる電子カメラ１００は、撮像部１０１の撮影レンズ窓１０３側の端から発光装置１０４側の端までの長さＬ１（図３）を、例えば左手人差し指の先端から第２関節近辺までの長さとし、かつ、撮像部１０１における撮影レンズ窓１０３とは逆側の長さをＬ２（図３）としたとき、発光装置窓１０４部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における画像表示面１０５の右側に操作釦類を配置するためのスペースを作ることができ、小型でありながら、操作性の良い電子カメラを構成することができる。また撮影レンズ窓１０３からヒンジ機構の回転中心までの距離は、ヒンジ機構の回転中心から撮影レンズ窓１０３とは逆側の端までの距離より大きくとってある。
【００２０】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して画像表示面１０５に例えば画像のサイズ、撮影感度、測光方式などの各種メニューを表示させ、十字キーと決定キーで構成された選択決定キー１０８の十字キーで項目を選択し、中央の決定釦で決定する。
【００２１】
そして、図２に示したように被写体の方に撮影レンズ窓１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓１０３を被写体に向ける。そして、画像表示面１０５に映し出された被写体を見ながら右手親指で撮像部１０１のズーム操作釦１０９を操作し、所定の倍率を選択して構図を決定した後、右手人差し指で撮像釦１０６を押下することで自動的にピントと露出が決定され、内蔵されたＣＣＤなどの撮像素子によって撮影された画像を内蔵されたメモリに記録するようになっている。このようにして撮影を行なうことにより、前記したように撮像部１０１における撮影レンズ窓１０３からヒンジ機構の回転中心までの距離は、ヒンジ機構の回転中心から撮影レンズ窓１０３とは逆側の端までの距離より大きくとってあるから、レンズ部が大きく回り、撮像部１０１を素早く被写体に向けられると共に、カメラ１００をしっかりホールドすることができる。
【００２２】
こうして撮影が済んだら、モードセレクト釦１１３を操作して再生モードにすると、メモリに蓄えられた画像が画像表示面１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００２３】
このように、電子カメラ１００の操作部１０２におけるシャッター釦１０６を操作部１０２を保持した人差し指で押圧できる位置に配すると共に、他の操作釦類を、操作部１０２を保持した親指の到達範囲内に配したことにより、片手で全ての撮影操作が可能となって操作性の良い電子カメラ１００を提供することができる。
【００２４】
また、撮像部１０１における撮影窓１０３の操作部側に発光装置１０４を配すると共に発光装置１０４の収容部下部を撮影窓１０３側より細く構成したことにより、操作部１０２側は撮像部１０１を細く構成した分全体の大きさを変えずに幅方向の余裕ができる。そのため、操作部１０２における画像表示面１０５を撮像部１０１側に配置することにより、画像表示面１０５の撮像部１０１とは逆側に余裕ができるから、親指で操作できる範囲に操作釦類を配置することができ、操作部１０２を右手で保持したとき、使い勝手の良い電子カメラを提供することができる。
【００２５】
また、前記撮像部１０１における前記発光装置１０４を配した部分の光軸方向厚さを略指の厚さとすると共に、前記レンズ窓部１０３側端から発光装置１０４側端までの長さを略指の先端から第２関節近辺に相当する量とし、前記指の厚さとした部分を指２本で挟んで回転できるようにしたことにより、本発明の電子カメラ１００は右手で操作部１０２をホールドし、左手の人差し指と中指で発光装置収容部を挟んで被写体方向に向けることができ、撮影に際してしっかりホールドできると共に使い勝手の良い電子カメラを提供することができる。
【００２６】
かかる実施例によれば、Ｇパンの臀部ポケットなどきっちりとしたポケットでも前記リブがガイドとなって容易にするっと収納できるとともに、更にリブ状突起を撮像部側の回転軸線とレンズ窓間の前記筐体広域面上に回転軸線と平行に延在させたために、ポケット取り出し時に手でリブを触認することにより目で確認する前にカメラの前後左右の位置が簡単に確認でき、速やかな撮像動作に移ることができるとともに、前記リブの存在により操作部側の液晶表示面を保護することができる。
又操作部側の液晶表示面が位置する広域面に設けた撮像用の操作釦高さはリブ状突起高さ以下であるために、きっちりとしたポケットであっても収納の際に引っかかりが生じることはない。
また、ポケット等に収納する際、一般的に筐体長辺方向でポケットに収納することからリブ状突起が、カメラをポケット内に収納するガイドとなり、収納を容易にせしめる。
更に撮像動作時に頻繁に使用しないモードセレクト釦を矩形状の画像表示面の少なくとも一辺に近接させて該辺にほぼ平行に延在して設ければ、該モードセレクト釦が液晶表示面形成面を保護する防護壁になるとともに、モードセレクト釦が画像表示面に近接しているために、モードセレクト釦の位置が明瞭になり、誤操作が防止できる。また、モードセレクト釦を防護壁とすることで、誤まって釦が押されても誤作動をおこすことがない。さらに、モードセレクト釦をリブ状突起の延長上に設けたことで、表示画面形成面の少なくとも一辺の端から端に亘って防護壁とすることができる。
【００２７】
又画像表示面は、その左右両側に位置するリブ状突起と操作釦より低い位置にあるためにＧパンの臀部ポケットなどきっちりとしたポケットに収納した場合でも画像表示面には必ず保護空間が保持され、破損する恐れが大幅に低下する。
又前記リブ状突起より下方を筐体短辺と平行に直線上に延在し、前記リブ状突起上方のレンズ窓側を操作部側に延在させた曲線状の膨出部を具えたために、電子カメラ全体を小型化してもリブ状突起上方撮像部側が操作部側に延在しているために、本発明の電子カメラは右手で操作部をホールドし、左手の人差し指と中指で発光装置収容部を挟んで被写体方向に向けることができ、撮影に際してしっかりホールドできると共に使い勝手の良い電子カメラを提供することができる。
【００２８】
又本発明によれば、前記撮像部と操作部間を、筐体長辺と平行な回転軸線に沿って回転可能に形成したために、図４に示すように左手の人差し指と中指で被写体に向けて左手の手首動作で撮像部を回動操作させながら、右手の指で操作部を持ちながら右手首を固定して操作部を位置決めして表示部を視認することができる。しかも前記筐体長辺を形成する操作部側の薄型頂壁面を凹設し、該凹設部にズーム操作釦を配設するとともに、その中指や親指を利用して簡単にズーム操作を行うことができる。結果として手首と指の操作が相対的に直交する方向であるために、両者の動作が極めてスムーズであり、更に手首の動作を行う撮像部と操作部は、長方形状の筐体の左右に分かれているために、カメラ自体を小型にしても例えばＹシャツやズボンの後ポケットに対応させて、定期入れとほぼ同サイズの長辺が９０〜１１０mm、短辺が５５〜７００mm厚みが１０〜１８mm程度に設定しても、しかも前記筐体長辺を基準とした左右分割であるために、両手で極めて持ちやすく、撮像部を左手に操作部を右手に保持したとき、親指や中指を利用して簡単にズーム操作できるために、使い勝手の良い電子カメラを提供することができる。
【００２９】
又前記撮像部側は膨出部によってレンズ窓側を操作部側に膨出することにより、小型化を図っても撮像部側頂壁にレンズ窓部とともに発光窓部を配設するスペースの形成が可能となる。
一方前記リブ状突起下方の操作部側は前記膨出部の分割線を越えて矩形状の画像表示面が延在して位置させることができるために、画像表示部を大きくすることができるとともに、画像表示面の撮像部とは逆側に余裕ができるから、親指で操作できる範囲に操作釦類を配置することができ、操作部を右手で保持したとき、使い勝手の良い電子カメラを提供することができる。
前記リブ状突起を操作部側に延在させた仮想線の上方に前記筐体広域面上に位置し撮像時に使用する操作釦を配置したために撮像時の各種操作が親指のみで簡単にできるとともに、画像表示面を保護することができる。
又前記膨出部側に位置する撮像部側頂壁にレンズ窓部とともに発光窓部を配設し、一方前記リブ状突起の操作部側仮想線下方に矩形状の画像表示面が膨出部側に延在させて配置したために小型化を達成しつつ矩形状の画像表示面を大きくとれる。
【産業上の利用可能性】
【００３０】
本発明によれば、小型化と薄型化を達成しつつ強度性を持ってＹシャツの胸ポケットやＧパンの臀部ポケットなどに円滑に収容且つ取出のできる電子カメラの提供が可能となる。
【図面の簡単な説明】
【００３１】
【図１】本発明になる電子カメラの一実施形態の全体図である。
【図２】本発明になる電子カメラのレンズを被写体方向に向けた撮影状態を示した図である。
【図３】本発明になる電子カメラのレンズをカメラ操作者（自分）方向に向けた撮影状態を示した図である。
【図４】本発明になる電子カメラのレンズを被写体方向に向けて撮影するときのカメラのホールド状態を示した図である。
【符号の説明】
【００３２】
１００  電子カメラ
１０１  操作部
１０２  撮像部
１０３  レンズ窓部
１０４  ストロボ発光窓部
１０５  画像表示面
１０６  撮像釦
１０７  電源釦
１０８  選択決定キー
１０９  ズーム操作釦
１１０  メニュー釦
１１１  ディスプレイ釦
１１２  シーン釦
１１３  モードセレクト釦
１５０  回転軸線
１５１  リブ状突起
１５３  膨出部
１５６  前記分割線
４０５  ヒンジ機構
【図１】
2005079729.tif 000003
【図２】
2005079729.tif 000004
【図３】
2005079729.tif 000005
【図４】
2005079729.tif 000006